(57)【特許請求の範囲】
【請求項１】
遊技球を発射装置に供給する供給部と前記遊技球を貯留するとともに貯留した遊技球を前記供給部に流下させる貯留部とを有する供給皿を備えた遊技機において、
前記貯留部に設けられ、貯留した遊技球を外部に排出する排出開口と、
前記排出開口を遮蔽する遮蔽位置と開放する開放位置との間で変位自在なシャッタと、
前記シャッタを前記遮蔽位置に向けて付勢するシャッタ付勢手段と、
前記供給皿の側方で下端部が左右方向に伸びる軸に軸支され、前記発射装置を開放及び遮蔽するサイドカバーと、
前記サイドカバーに取り付けられ、初期位置から操作位置へ向けて水平方向にスライド操作して前記シャッタを前記遮蔽位置から前記開放位置まで変位させる操作部材と、
棒状に形成されるとともに長手方向の略中心部が垂直方向に伸びる軸に軸支され、一端が前記操作部材に当接するとともに他端が前記シャッタに当接し、前記シャッタを開放位置で保持する保持位置と前記シャッタの開放位置での保持を解除する保持解除位置との間で回転するリンク部材と、
前記リンク部材を前記保持位置で保持する保持手段と、を備え、
前記操作部材の前記操作位置へのスライド操作に連動して前記リンク部材が前記保持解除位置から前記保持位置に向けて回転し、前記リンク部材の回転に連動して前記シャッタが前記開放位置に向けて変位し、前記リンク部材が前記保持手段によって保持されると前記シャッタが前記開放位置で保持され、所定の解除操作によって前記保持手段による前記リンク部材の保持が解除されると、前記リンク部材が前記保持解除位置に向けて回転して前記リンク部材による前記シャッタの保持が解除され、前記シャッタは前記シャッタ付勢手段の付勢により前記遮蔽位置に変位することを特徴とする遊技機。
【請求項２】
前記操作部材を前記操作位置から前記初期位置に向けて付勢する操作付勢手段を備え、前記操作部材は、前記シャッタが開放位置で保持されているときに前記初期位置に復帰することを特徴とする請求項１記載の遊技機。
【請求項３】
前記所定の解除操作は、前記操作部材を前記操作位置にスライド操作することであることを特徴とする請求項１または２記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、パチンコ球（遊技球）が打ち出される遊技領域が形成された遊技盤が本体ユニットに配設され、その遊技盤の前面がガラス板を保持したガラス枠により被覆される構成となっている。遊技盤面には、レールにより規制された遊技領域が形成され、この遊技領域には複数の釘、風車、始動入賞口、アタッカ、図柄可変表示装置、等が設けられた構成となっている。これら始動入賞口、アタッカ及び払出入賞口にパチンコ球が入ることを入賞とし、入賞によりパチンコ球を獲得することができる。パチンコ球には一定の価値が与えられ、遊技を行って獲得したパチンコ球を種々の景品に交換することができる。
【０００３】
このようなパチンコ機では、パチンコ球を遊技領域に向けて打ち出す発射装置と、パチンコ球を貯留するとともに貯留したパチンコ球を発射装置に向けて送り出す上皿とを備える。上皿に貯留しきれなくなったパチンコ球は、上皿の下方に設けられた下皿に送られ、下皿に貯留される。下皿に貯留しきれなくなったパチンコ球は、下皿の下方に置かれる球収容箱に移す。このため、下皿には、パチンコ球を球収容箱に排出するための排出開口が設けられている。また、近年のパチンコ機においては、前記排出開口を開閉するシャッタが設けられており、このシャッタを開放することにより、下皿に貯留したパチンコ球を球収容箱に移している。
【０００４】
また、特許文献１のパチンコ機では、下皿に設けられた排出口を開閉するシャッター部材と、シャッター部材を移動させたときに、その移動させた位置でシャッター部材を保持するロック機構を設けている。
【特許文献１】特開平１０−９４６５４号公報
【発明の開示】
【発明が解決しようとする課題】
【０００５】
しかしながら、特許文献１のパチンコ機は、上皿と下皿とが設けられたパチンコ機であって、上皿のみで構成されたパチンコ機には言及しておらず、上皿のみの１個の貯留皿で構成されたパチンコ機においては、上皿に形成された排出開口を開閉するためのシャッタを開放した状態で保持すると、発射装置に供給されるパチンコ球も排出開口から排出されてしまうという問題があり、さらには、シャッタを開放した状態で保持するためには、シャッタを開放位置に位置させ続ける操作が必要であり、遊技者にとっては負担となっていた。
【０００６】
本発明は、上記課題を解決するためになされたものであり、遊技球を貯留する貯留皿が１個のものにおいてもシャッタを開放位置に保持することができる遊技機を提供することを目的とする。
【課題を解決するための手段】
【０００７】
上記目的を達成するために、本発明の遊技機は、遊技球を発射装置に供給する供給部と前記遊技球を貯留するとともに貯留した遊技球を前記供給部に流下させる貯留部とを有する供給皿を備えた遊技機において、前記貯留部に設けられ、貯留した遊技球を外部に排出する排出開口と、前記排出開口を遮蔽する遮蔽位置と開放する開放位置との間で変位自在なシャッタと、前記シャッタを前記遮蔽位置に向けて付勢するシャッタ付勢手段と、前記供給皿の側方で下端部が左右方向に伸びる軸に軸支され、前記発射装置を開放及び遮蔽するサイドカバーと、前記サイドカバーに取り付けられ、初期位置から操作位置へ向けて水平方向にスライド操作して前記シャッタを前記遮蔽位置から前記開放位置まで変位させる操作部材と、棒状に形成されるとともに長手方向の略中心部が垂直方向に伸びる軸に軸支され、一端が前記操作部材に当接するとともに他端が前記シャッタに当接し、前記シャッタを開放位置で保持する保持位置と前記シャッタの開放位置での保持を解除する保持解除位置との間で回転するリンク部材と、前記リンク部材を前記保持位置で保持する保持手段と、を備え、前記操作部材の前記操作位置へのスライド操作に連動して前記リンク部材が前記保持解除位置から前記保持位置に向けて回転し、前記リンク部材の回転に連動して前記シャッタが前記開放位置に向けて変位し、前記リンク部材が前記保持手段によって保持されると前記シャッタが前記開放位置で保持され、所定の解除操作によって前記保持手段による前記リンク部材の保持が解除されると、前記リンク部材が前記保持解除位置に向けて回転して前記リンク部材による前記シャッタの保持が解除され、前記シャッタは前記シャッタ付勢手段の付勢により前記遮蔽位置に変位することを特徴とする。なお、前記シャッタ及び前記リンク部材の変位としては、移動、回転等が挙げられる。
【０００８】
また、前記操作部材を前記操作位置から前記初期位置に向けて付勢する操作付勢手段を備え、前記操作部材は、前記シャッタが開放位置で保持されているときに前記初期位置に復帰することが好ましい。
【０００９】
さらに、前記所定の解除操作は、前記操作部材を前記操作位置にスライド操作することであることが好ましい。
【発明の効果】
【００１０】
本発明の遊技機によれば、遊技球を発射装置に供給する供給部と前記遊技球を貯留するとともに貯留した遊技球を前記供給部に流下させる貯留部とを有する供給皿を備えた遊技機において、前記貯留部に設けられ、貯留した遊技球を外部に排出する排出開口と、排出開口を遮蔽する遮蔽位置と開放する開放位置との間で変位自在なシャッタと、シャッタを遮蔽位置に向けて付勢するシャッタ付勢手段と、シャッタを遮蔽位置から開放位置まで変位させるときに操作する操作部材と、操作部材の操作に連動して変位自在で、且つ、シャッタを遮蔽位置から開放位置まで変位させるリンク部材と、シャッタを遮蔽位置から開放位置まで変位させた状態のときのリンク部材を保持し、再度リンク部材を変位させたときに当該リンク部材の保持を解除する保持手段と、を備え、操作部材を操作してリンク部材を変位させると、シャッタはリンク部材により開放位置に保持され、再度リンク部材を変位させると、リンク部材によるシャッタの保持が解除され、シャッタはシャッタ付勢手段の付勢により遮蔽位置に変位するから、操作部材を操作すると、保持手段により保持されたリンク部材によりシャッタが開放位置に保持され、操作部材から手を離した後にも、シャッタは開放位置に保持されるから、供給皿に貯留された遊技球を排出させるときに、操作部材を操作し続ける必要がなく、操作性を向上することができる。
【００１１】
また、リンク部材は、棒状に形成されるとともに、長手方向の略中心部が回転中心となるように設けられ、操作部材は、リンク部材の一端に当接して当該リンク部材の他端を回転させるから、容易な構成でリンク部材を変位させることができる。
【００１２】
さらに、供給皿の側方に開閉自在に設けられ、発射装置を開放及び遮蔽するサイドカバーを備え、操作部材を、サイドカバーに取り付け、操作部材は、サイドカバーの開放に応じてリンク部材の一端に当接する位置から離脱するから、操作部材は、供給皿から離れた位置に配設されるため、操作部材の誤操作を軽減することができ、さらには、供給皿の設置空間を広くとることができる。
【００１３】
また、操作部材を、リンク部材の一端に当接して当該リンク部材の他端を回転させたときの操作位置から初期位置に向けて付勢する操作付勢手段を備えたから、操作部材を操作していないときには、操作部材を初期位置に位置させることができる。
【発明を実施するための最良の形態】
【００１４】
図１及び図２に示すように、遊技機の１実施例であるパチンコ機（遊技機）２は、本体枠３の内部に遊技盤４が配設されており、本体枠３の前面には前面扉５が開閉自在に取り付けられている。前面扉５の下方には、打球供給用の供給皿６と、公知の球発射装置（図示せず）によるパチンコ球（遊技球）７の打ち出し強さを調節する回動自在な操作ハンドル８と、が設けられている。
【００１５】
遊技盤４のパチンコ球７が打ち出される遊技領域４ａの略中央には、始動入賞口１２へパチンコ球７を入賞させるなどの所定入賞条件に基づいて遊技中に様々な図柄を液晶画面に所定時間内において変動表示させた後に停止表示させる図柄可変表示装置１１が設けられている。図柄可変表示装置１１の周りには、始動入賞口１２、通常入賞口１３、アタッカ１４、アウト口１５が設けられており、アタッカ１４は、遊技盤４に一体的に組み付けられている。また、遊技盤４の略中央には、センター役物１６が一体的に組み付けられており、センター役物１６に形成された開口１６ａを介して、図柄可変表示装置１１を視認することができる。
【００１６】
各入賞口１２,１３内には、各入賞口１２,１３に入ったパチンコ球７を検知する入賞球検知センサが設けられている。遊技者は、供給皿６の貯留部６ｄにパチンコ球７を投入して、パチンコ球７を、供給皿６内に設けられた供給通路６ｅ（供給部）を介して球発射装置に供給する。そして、遊技者が、回動式の操作ハンドル８を回動すると、操作ハンドル８の回動量に応じた打ち出し強さでパチンコ球７を、遊技盤４の遊技領域４ａの上方に向けて打ち出される。打ち出されたパチンコ球７は遊技領域４ａの上方から流下する途中で各入賞口１２,１３のいずれかまたはアタッカ１４に入るか、あるいはアウト口１５から回収される。
【００１７】
アタッカ１４の奥には大入賞口１８が設けられており、大入賞口１８内には、大入賞口１８に入ったパチンコ球７を検知する大入賞球検知センサが設けられている。アタッカ１４は大入賞口１８を開放する開放位置と大入賞口１８を閉じる閉じ位置との間で回動自在に取り付けられている。なお、パチンコ機２の遊技領域４ａに設けられている複数の釘、風車などの構造物は公知であるので説明は省略する。
【００１８】
図２に示すように、供給皿６は、パチンコ球７を貯留するとともに貯留したパチンコ球７を流下させるように傾斜した貯留面６ａに、貯留したパチンコ球７をパチンコ機２外部に配置した球収容箱に向けて排出するための排出開口６ｂが形成されている。供給皿６には、受入開口６ｃ、貯留部６ｄ、供給通路（供給部）６ｅ、球流下斜面６ｆが形成されている。供給皿６は、払い出されるパチンコ球７を受入開口６ｃから受け入れ、受け入れたパチンコ球７を貯留部６ｄで貯留する。貯留部６ｄで貯留したパチンコ球７は、供給通路（供給部）６ｅの上流側に設けられた球流下斜面６ｆに流下させる。供給通路６ｅは、球流下斜面６ｆを流下されたパチンコ球７を球発射装置に供給する。排出開口６ｂは、球流下斜面６ｆよりも上流側の貯留部６ｄに形成されている。本実施形態では、供給皿６は、２００発のパチンコ球７が貯留可能なサイズで形成されている。
【００１９】
供給皿６の貯留面６ａと反対側の裏面には、ベース開口２１ｂを有する球排出ユニット２０（図３参照）がビス等により取り付けられている。球排出ユニット２０は、着脱自在に供給皿６の貯留面６ａと反対側の裏面（供給皿６によって覆われる内部空間）に取り付けられており、球排出ユニット２０を供給皿６に取り付けると、排出開口６ｂとベース開口２１ｂ（図３参照）とが連通するようにされている。
【００２０】
図３、図４及び図５に示すように、球排出ユニット２０は、ベース板２１に、ベース開口２１ｂを遮蔽及び開放するシャッタ２２と、リンクレバー（リンク部材）２３と、押込み部２４ａを一定量となるまで押し込むことでその押し込んだ当接部分（リンクレバー２３の保持部２３ｅ）を押込み位置に保持し、この状態から押込み部２４ａを再度押し込んだときに保持部２３ｅの保持を解除する公知のプッシュロック装置（保持手段）２４と、ねじりバネ（シャッタ付勢手段）２５と、が取り付けられている。
【００２１】
ベース板２１は、板状の本体部２１ａに、供給皿６の排出開口６ｂに連通し、供給皿６に貯留されたパチンコ球７をパチンコ機２外部に排出するためのベース開口２１ｂが形成されている。本体部２１ａには、外周部を囲む壁状のリブが立設されている。排出開口６ｂ、ベース開口２１ｂを通ったパチンコ球７は、図示しない排出路を通って、供給皿６の下方からパチンコ機２外部に排出される。
【００２２】
ベース板２１の本体部２１ａには、シャッタ２２が軸支されるシャッタ軸部２１ｃと、リンクレバー２３が軸支されるリンク軸部２１ｄと、プッシュロック装置２４が取り付けられるロック取付部２１ｅと、シャッタ２２を回転させたときの上下方向の位置を規制する受け部となるシャッタ用受けリブ２１ｆと、リンクレバー２３を回転させたときの上下方向の位置を規制する受け部となるリンクレバー用受けリブ２１ｇと、ねじりバネ２５の第１腕部２５ｂと係合するバネストッパリブ２１ｈと、シャッタ２２の回転を規制し、シャッタ２２を、ベース開口２１ｂを遮蔽する位置に位置させる回転規制リブ２１ｉと、が形成されている。シャッタ用受けリブ２１ｆ及びリンクレバー用受けリブ２１ｇは、円弧状に形成されている。
【００２３】
シャッタ軸部２１ｃは、シャッタ２２の挿通孔２２ｃに挿通されるものであり、挿通孔２２ｃよりも若干小さい径で形成されている。シャッタ軸部２１ｃは、挿通孔２２ｃに挿通したときに、シャッタ２２の上面から若干突出する長さで形成されている。
【００２４】
リンク軸部２１ｄは、リンクレバー２３の挿通孔２３ｄに挿通されるものであり、挿通孔２３ｄよりも若干小さい径で形成されている。リンク軸部２１ｄは、挿通孔２３ｄに挿通したときに、リンクレバー２３の上面から若干突出する長さで形成されている。シャッタ軸部２１ｃ及びリンク軸部２１ｄには、それぞれ取付孔２１ｊが形成されている。
【００２５】
シャッタ２２は、ベース開口２１ｂを遮蔽する遮蔽位置（図５（Ａ）参照）と、ベース開口２１ｂを開放（露呈）する開放位置（図５（Ｂ）参照）との間で回転可能に、シャッタ軸部２１ｃに取り付けられている。シャッタ２２は、本体部２２ａに、ベース開口２１ｂを遮蔽するための遮蔽部２２ｂが一体的に形成されている。本体部２２ａには、シャッタ軸部２１ｃが挿通される挿通孔２２ｃと、ねじりバネ２５の第２腕部２５ｃと係合するバネ圧縮リブ２２ｄと、リンクレバー２３の第１腕部（他端）２３ｂに当接する当接ボス２２ｅと、が形成されている。バネ圧縮リブ２２ｄ及び当接ボス２２ｅは、本体部２２ａの下面に突出して形成され、さらには、本体部２２ａの下面にねじりバネ２５を配置できるように離間されて形成されている。遮蔽部２２ｂの上面には、シャッタ２２が回転するときの上下方向のガタつきを抑えるガタつき防止凸部２２ｆが、円弧状に形成されている。ガタつき防止凸部２２ｆは、２個形成されている。
【００２６】
リンクレバー２３は、プッシュロック装置２４の押込み部２４ａによって保持される保持位置（図５（Ｂ）参照）と、保持を解除される保持解除位置（図５（Ａ）参照）との間で回転可能に、リンク軸部２１ｄに取り付けられている。リンクレバー２３は、長板状に形成されており、長手方向の略中央部に設けた円柱状の本体部２３ａに、シャッタ２２の当接ボス２２ｅに当接する第１腕部（他端）２３ｂと、球排出操作レバー（操作部材）３２の当接リブ３２ｃに当接するフック状の第２腕部（一端）２３ｃと、が一体的に形成されている。本体部２３ａには、リンク軸部２１ｄが挿通される挿通孔２３ｄが形成されている。第１腕部２３ｂには、プッシュロック装置２４の押込み部２４ａを押し込むとともに押し込んだ押込み部２４ａによって保持されるフック状の保持部２３ｅが形成されている。リンクレバー２３が、保持部２３ｅにより押込み部２４ａを押し込む方向となる時計方向に（保持解除位置から保持位置に向けて）回転すると、第１腕部２３ｂがシャッタ２２の当接ボス２２ｅに当接し、シャッタ２２は、遮蔽位置から開放位置まで回転する。
【００２７】
ねじりバネ２５は、本体となるコイル状に巻回された中心部２５ａと、この中心部２５ａから外側に直線上に延びる第１腕部２５ｂ及び第２腕部２５ｃとから構成される。
【００２８】
第１腕部２５ｂをベース板２１のバネストッパリブ２１ｈの内面に当接させ、第２腕部２５ｃを反時計方向に回転すると、第１腕部２５ｂが反時計方向に、第２腕部２５ｃが時計方向にそれぞれ回転しようとする回転力が発生する。そして、第２腕部２５ｃをシャッタ２２のバネ圧縮リブ２２ｄの内面に当接させると、第１腕部２５ｂがバネストッパリブ２１ｈに、第２腕部２５ｃがバネ圧縮リブ２２ｄにそれぞれ係止された状態となり、ねじりバネ２５は固定される。これにより、バネ圧縮リブ２２ｄは、ねじりバネ２５により時計方向に回転され、シャッタ２２は、遮蔽位置に向けて付勢（時計方向に回転）される。
【００２９】
ねじりバネ２５でバネ圧縮リブ２２ｄが時計方向に回転されることにより時計方向に付勢されるシャッタ２２は、回転規制リブ２１ｉに当接することにより、その回転が規制され、遮蔽位置に位置する。すなわち、シャッタ２２は、反時計方向に回転させる外力が加われていないときには、常に遮蔽位置に位置する。シャッタ２２は、回転するときには、遮蔽部２２ｂの下面が円弧状のシャッタ用受けリブ２１ｆの上面に当接しながら、且つ、遮蔽部２２ｂのガタつき防止凸部２２ｆが供給皿６の内面上面に当接しながら回転する。これにより、回転時におけるシャッタ２２の上下方向のガタつきを抑制することができる。
【００３０】
シャッタ２２をベース板２１に取り付けるときには、シャッタ軸部２１ｃを挿通孔２２ｃに挿通した後、ビスをシャッタ軸部２１ｃの取付孔２１ｊにビス締めする。上記したように、シャッタ軸部２１ｃは、シャッタ２２の上面から若干突出する長さで形成されている。これにより、シャッタ２２は、回転自在にベース板２１に取り付けられる。
【００３１】
リンクレバー２３をベース板２１に取り付けるときには、リンク軸部２１ｄを挿通孔２３ｄに挿通した後、ビスをリンク軸部２１ｄの取付孔２１ｊにビス締めする。上記したように、リンク軸部２１ｄは、リンクレバー２３の上面から若干突出する長さで形成されている。これにより、リンクレバー２３は、回転自在にベース板２１に取り付けられる。
【００３２】
シャッタ２２をシャッタ軸部２１ｃに、リンクレバー２３をリンク軸部２１ｄに、それぞれ軸支させ、ねじりバネ２５により時計方向に付勢（回転）されるシャッタ２２の当接ボス２２ｅが、リンクレバー２３の第１腕部２３ｂに当接し、リンクレバー２３は、反時計方向に付勢された状態となる。これにより、リンクレバー２３は、外力が加われていないときには、常に保持解除位置（図５（Ａ）参照）に位置する。なお、リンクレバー２３は、第１腕部２３ｂがベース板２１のシャッタ用受けリブ２１ｆの側面に当接することにより、反時計方向への回転が規制される。
【００３３】
プッシュロック装置２４は、公知の技術であり、その詳細説明は省略するが、押込み部２４ａを備え、リンクレバー２３が保持解除位置（図５（Ａ）参照）から時計方向に回転し、リンクレバー２３の保持部２３ｅが押込み部２４ａを押し込んだときに、押込み部２４ａにより保持部２３ｅを保持することによってリンクレバー２３を保持位置に保持し、この状態（リンクレバー２３が保持位置）から再度リンクレバー２３が時計方向に回転し、再度保持部２３ｅが押込み部２４ａを押し込んだときに、保持部２３ｅの保持を解除するものである。プッシュロック装置２４は、ベース板２１のロック取付部２１ｅに取り付けられている。
【００３４】
図２に示すように、供給皿６の左方には、球発射装置を露呈及び遮蔽するためのサイドカバー３１が、前後方向に向けて開閉自在に取り付けられている。サイドカバー３１には、球排出操作レバー（操作部材）３２が直線方向にスライド自在に取り付けられている。球排出操作レバー３２は、スライド操作してリンクレバー２３を時計方向に回転させることにより、シャッタ２２を遮蔽位置から開放位置まで回転させ、供給皿６に貯留されたパチンコ球７を外部に排出させるためのものである。球排出操作レバー３２は、把手部３２ｂ（図５参照）がサイドカバー３１の前面から突出し、遊技者が操作（スライド）可能となるように、サイドカバー３１に取り付けられている。なお、サイドカバー３１は、前面扉５が閉じられているときには、前面扉５の下端部がサイドカバー３１の上端部を覆うようことにより開閉不能となり、前面扉５の施錠を開放キーにより解除し、前面扉５を開放したときに開閉自在となるようにされている。サイドカバー３１を開放すると、球排出操作レバー３２はリンクレバー２３の第２腕部（一端）２３ｃに当接する基準位置（初期位置）から離脱することとなる。
【００３５】
図５に示すように、球排出操作レバー（操作部材）３２は、板状の本体部３２ａに、遊技者が操作する際の把手となる把手部３２ｂと、リンクレバー２３の第２腕部（一端）２３ｃに当接する当接リブ３２ｃと、コイルバネ（操作付勢手段）３３を取り付けるためのパチンコ機２内部に向かって突出したバネ取付部３２ｄと、が形成されている。バネ取付部３２ｄには、コイルバネ３３の中心部に挿入されるバネ挿入軸３２ｅが形成されている。球排出操作レバー３２は、把手部３２ｂがサイドカバー３１の前面から突出するように取り付けられている。これにより、遊技者は、把手部３２ｂを持って球排出操作レバー３２を操作することができる。
【００３６】
球排出操作レバー３２は、リンクレバー２３を保持解除位置に位置させる初期位置としての基準位置（図５（Ａ）参照）と、リンクレバー２３を保持解除位置から時計方向に回転させて保持位置に位置させる操作位置（図５（Ｂ）参照）と、の間でスライド自在にサイドカバー３１に取り付けられている。球排出操作レバー３２は、コイルバネ（操作付勢手段）３３により、操作位置から基準位置（初期位置）に向けて付勢されている。コイルバネ３３は、バネ取付部３２ｄのバネ挿入軸３２ｅに挿入されるとともに、左側端がサイドカバー３１内部のバネ固定部（図示せず）に取り付けられ、右側端がバネ取付部３２ｄに取り付けられている。球排出操作レバー３２を、基準位置から操作位置まで移動すると、リンクレバー２３は時計方向（保持解除位置から保持位置に向けて）に回転する。
【００３７】
上記のように構成されたパチンコ機２の作用について説明する。遊技者が、パチンコ機２で遊技を行い、大当たりを獲得した場合には、アタッカ１４が開放し、アタッカ１４内部にパチンコ球７が入る。アタッカ１４内部に入ったパチンコ球７は、大入賞口１８に入り、大入賞球検知センサにより検知される。大入賞球検知センサによりパチンコ球７が検知されると、所定数量のパチンコ球７が、受入開口６ｃを介して供給皿６に払い出される。
【００３８】
供給皿６には、２００発のパチンコ球７しか貯留することができないため、それ以上のパチンコ球７が供給皿６に払い出される場合には、遊技者は、パチンコ球７をパチンコ機２外部に配置した球収容箱に排出する必要がある。この場合には、遊技者は、球排出操作レバー３２を、基準位置（図５（Ａ）参照）から操作位置（図５（Ｂ）参照）まで移動させる。球排出操作レバー３２を操作位置まで移動させると、リンクレバー２３が、保持解除位置（図５（Ａ）参照）から保持位置（図５（Ｂ）参照）まで回転し、リンクレバー２３は、プッシュロック装置２４により保持される。これにより、リンクレバー２３は、遊技者が、球排出操作レバー３２から手を離した後にも、保持位置に位置することとなる。なお、遊技者が、球排出操作レバー３２から手を離すと、球排出操作レバー３２は、コイルバネ３３の付勢により、操作位置から基準位置まで移動する。
【００３９】
リンクレバー２３が保持解除位置から保持位置まで回転すると、シャッタ２２は、遮蔽位置（図５（Ａ）参照）から開放位置（図５（Ｂ）参照）まで回転する。リンクレバー２３は、プッシュロック装置２４により保持位置に保持されているため、保持位置に保持されたリンクレバー２３により、シャッタ２２は開放位置に保持された状態となる。シャッタ２２が開放位置まで回転すると、供給皿６に貯留されたパチンコ球７は、排出開口６ｂ及びベース開口２１ｂを介して、パチンコ機２外部に配置した球収容箱に排出される。
【００４０】
大当たり終了後には、排出開口６ｂを遮蔽する必要があり、この場合には、遊技者は、球排出操作レバー３２を基準位置から操作位置まで移動させる。球排出操作レバー３２を操作位置まで移動すると、リンクレバー２３が、保持位置から時計方向に回転し、プッシュロック装置２４によるリンクレバー２３の保持が解除される。リンクレバー２３の保持が解除されると、シャッタ２２は、ねじりバネ２５の付勢により開放位置から遮蔽位置まで回転する。シャッタ２２が遮蔽位置まで回転すると、排出開口６ｂはシャッタ２２により遮蔽された状態となる。なお、シャッタ２２が開放位置から遮蔽位置まで回転すると、リンクレバー２３は、保持位置から保持解除位置まで回転する。
【００４１】
このように、遊技者が、球排出操作レバー３２を基準位置から操作位置まで移動させると、球排出操作レバー３２から手を離した後にも、リンクレバー２３はプッシュロック装置２４により保持位置に保持され、保持位置に保持されるリンクレバー２３により、シャッタ２２を開放位置に保持することができるため、供給皿６に貯留されたパチンコ球７を排出させるときに、球排出操作レバー３２を操作し続ける必要がなく、操作性を向上することができる。
【００４２】
また、シャッタ２２を開放位置から遮蔽位置まで回転させる場合には、球排出操作レバー３２を基準位置から操作位置まで移動させるだけで行うことができるから、操作性を向上することができる。
【００４３】
さらに、供給皿６の左方に、球発射装置を露呈及び遮蔽するためのサイドカバー３１を設け、サイドカバー３１に球排出操作レバー３２を取り付けたから、球排出操作レバー３２は、供給皿６から離れた位置に配設されるため、球排出操作レバー３２の誤操作を低減することができ、さらには、供給皿６に球排出操作レバー３２を設けたものに比べて、供給皿６の設置空間を広くとることができる。
【００４４】
また、球排出操作レバー３２を、リンクレバー２３の第２腕部（一端）２３ｃに当接する基準位置に向けて付勢するコイルバネ３３を設けたから、球排出操作レバー３２を操作していないときには、球排出操作レバー３２を基準位置に位置させることができる。
【００４５】
なお、上記実施形態では、シャッタ２２を、遮蔽位置と開放位置との間で回転可能に、ベース板２１のシャッタ軸部２１ｃに取り付けたが、これに限定されることなく、シャッタ２２は、リンクレバー２３の回転に応じて、遮蔽位置と開放位置との間で変位可能であればよく、シャッタ２２を、遮蔽位置と開放位置との間で左右または上下に移動可能に、ベース板２１に取り付けるようにしてもよい。
【００４６】
また、上記実施形態では、リンクレバー２３を、保持位置と保持解除位置との間で回転可能に、ベース板２１のリンク軸部２１ｄに取り付けたが、これに限定されることなく、リンクレバー２３は、球排出操作レバー３２の移動に応じて、保持位置と保持解除位置との間で変位可能であればよく、リンクレバー２３を、保持位置と保持解除位置との間で左右または上下に移動可能に、ベース板２１に取り付けるようにしてもよい。
【００４７】
さらに、上記実施形態では、球排出操作レバー３２を左右方向に移動させることにより、リンクレバー２３及びシャッタ２２を回転させたが、これに限定されることなく、例えば、球排出操作レバー３２を回転可能に設け、球排出操作レバー３２の回転によりリンクレバー２３及びシャッタ２２を回転させるようにしてもよい。
【図面の簡単な説明】
【００４８】
【図１】本発明を実施したパチンコ機の外観を示す斜視図である。
【図２】回動カバーが開放された状態の供給皿とサイドカバーとを示す斜視図である。
【図３】球排出ユニットを示す分解斜視図である。
【図４】球排出ユニットを示す斜視図である。
【図５】球排出ユニットを示す上面図である。
【符号の説明】
【００４９】
２  パチンコ機（遊技機）
６  供給皿
６ｂ  排出開口
６ｄ  貯留部
６ｅ  供給通路（供給部）
２０  球排出ユニット
２１  ベース板
２１ｂ  ベース開口
２２  シャッタ
２３  リンクレバー（リンク部材）
２３ｂ  第１腕部（他端）
２３ｃ  第２腕部（一端）
２４  プッシュロック装置（保持手段）
２５  ねじりバネ（シャッタ付勢手段）
３１  サイドカバー
３２  球排出操作レバー（操作部材）
３３  コイルバネ（操作付勢手段）
【図１】
0004633631.tif 000002
【図２】
0004633631.tif 000003
【図３】
0004633631.tif 000004
【図４】
0004633631.tif 000005
【図５】
0004633631.tif 000006